(57)【要約】【課題】背凭れとバックシェルとの間隙への進入物を容易に除去することができる座席装置を提供する。【解決手段】背凭れ１２０が後方に倒れたリクライニング状態へと移行自在な座席装置１であって、背凭れ１２０の後方側を覆うとともに、リクライニング状態への移行に伴う背凭れ１２０の動きを妨げないのに十分な間隙Ｓ１１を当該背凭れ１２０との間に開けた状態で不動立設されたバックシェル１３０を備え、バックシェル１３０には、間隙Ｓ１１への進入物を当該間隙Ｓ１１から排出するための排出孔１３４が設けられ、間隙Ｓ１１には、背凭れ１２０からバックシェル１３０の排出孔１３４まで下降スロープを形成しつつ延在し、進入物を排出孔１３４まで案内する、背凭れ１２０の動きに応じて変形可能な案内シート１６０が設けられている。【選択図】図４
2018130155.tif 000002
【特許請求の範囲】
【請求項１】
背凭れが後方に倒れたリクライニング状態へと移行自在な座席装置であって、
前記背凭れの後方側を覆うとともに、前記リクライニング状態への移行に伴う前記背凭れの動きを妨げないのに十分な間隙を当該背凭れとの間に開けた状態で不動立設されたバックシェルを備え、
前記バックシェルには、前記間隙への進入物を当該間隙から排出するための排出孔が設けられ、
前記間隙には、前記背凭れから前記バックシェルの前記排出孔まで下降スロープを形成しつつ延在し、前記進入物を前記排出孔まで案内する、前記背凭れの動きに応じて変形可能な案内シートが設けられていることを特徴とする座席装置。
【請求項２】
前記案内シートは、少なくとも前記排出孔の側の端部が、前記バックシェルに対して着脱自在に接合されることを特徴とする請求項１に記載の座席装置。
【請求項３】
前記案内シートにおける前記端部は、前記バックシェルに対して面ファスナーを介して接合されることを特徴とする請求項２に記載の座席装置。
【請求項４】
前記案内シートにおける前記背凭れ側は、当該背凭れを覆う外被布と一体に成型されていることを特徴とする請求項１〜３のうち何れか一項に記載の座席装置。
【発明の詳細な説明】
【技術分野】
【０００１】
本発明は、乗り物の旅客用シートなどの座席装置に関するものである。
【背景技術】
【０００２】
従来、旅客用シートなどの座席装置として、背凭れが後方に倒れたリクライニング状態へと移行自在な座席装置が知られている（例えば、特許文献１参照）。
【０００３】
ところで、背凭れが後方に倒れる際の、後方の座席装置の着座者への圧迫感を抑えるために、背凭れの後方側を覆って不動立設されたバックシェルを設ける構造が考えられる。背凭れとバックシェルとの間には、リクライニング状態への移行に伴う背凭れの動きを妨げないのに十分な間隙が開いている。このような不動立設のバックシェルを設けることで後方の座席装置の着座者には、背凭れの動きが余り見えなくなり、圧迫感が抑えられることとなる。
【先行技術文献】
【特許文献】
【０００４】
【特許文献１】特開２０００−３４４０９７号公報
【発明の概要】
【発明が解決しようとする課題】
【０００５】
ここで、上記のように背凭れとバックシェルとの間に間隙が開いていると、その内部にゴミや落し物等の種々の物体が進入することが想定される。このような進入物をそのままにしておくと背凭れの動きを妨げる恐れがあるが、一方で、上記のような間隙への進入物は除去が困難な場合が多い。
【０００６】
そこで、本発明は、背凭れとバックシェルとの間隙への進入物を容易に除去することができる座席装置を提供することを目的とする。
【課題を解決するための手段】
【０００７】
上述した課題を解決するためになされた請求項１に記載の発明は、背凭れが後方に倒れたリクライニング状態へと移行自在な座席装置であって、前記背凭れの後方側を覆うとともに、前記リクライニング状態への移行に伴う前記背凭れの動きを妨げないのに十分な間隙を当該背凭れとの間に開けた状態で不動立設されたバックシェルを備え、前記バックシェルには、前記間隙への進入物を当該間隙から排出するための排出孔が設けられ、前記間隙には、前記背凭れから前記バックシェルの前記排出孔まで下降スロープを形成しつつ延在し、前記進入物を前記排出孔まで案内する、前記背凭れの動きに応じて変形可能な案内シートが設けられていることを特徴とする座席装置である。
【０００８】
請求項２記載の発明は、前記案内シートは、少なくとも前記排出孔の側の端部が、前記バックシェルに対して着脱自在に接合されることを特徴とする請求項１に記載の座席装置である。
【０００９】
請求項３記載の発明は、前記案内シートにおける前記端部は、前記バックシェルに対して面ファスナーを介して接合されることを特徴とする請求項２に記載の座席装置である。
【００１０】
請求項４記載の発明は、前記案内シートにおける前記背凭れ側は、当該背凭れを覆う外被布と一体に成型されていることを特徴とする請求項１〜３のうち何れか一項に記載の座席装置である。
【発明の効果】
【００１１】
請求項１に記載の発明によれば、背凭れとバックシェルとの間隙への進入物は、案内シートによって形成された下降スロープに沿って排出孔までスムーズに案内されて、この排出孔から排出される。つまり、請求項１に記載の発明によれば、背凭れとバックシェルとの間隙への進入物を容易に除去することができる。
【００１２】
請求項２に記載の発明によれば、案内シートにおける排出孔の側の端部をバックシェルから容易に取り外すことができる。背凭れ側については、背凭れを覆う外被布と一体に成型されている場合にはその外被布と一緒に案内シートを取り去ることができる。あるいは、背凭れに対しても着脱自在に接合されている場合には、案内シートのみを取り去ることができる。何れにしてもこのようにして取り去った案内シートは、洗濯に供することができ、また、洗濯後の案内シートや新品の案内シートを容易に取り付けることもできる。
【００１３】
請求項３に記載の発明によれば、面ファスナーを介した接合は着脱が非常に容易であることから、案内シートの取付けや取外しについての作業性を向上することができる。
【００１４】
請求項４に記載の発明によれば、案内シートにおける背凭れ側が、当該背凭れの外被布と一体に成型されているので、このような外被布を背凭れから取り外す術を心得たメンテナンス作業者等以外には簡単に取り外すことができないようになっている。これにより、排出孔の側の端部の着脱についてメンテナンス作業者への便を図りつつも、悪意ある他者が、案内シートを勝手に持ち去るといった事態を防ぐことができる。
【図面の簡単な説明】
【００１５】
【図１】本発明の一実施形態にかかる座席装置を、着座者が座る前方側から見た斜視図である。
【図２】図１に示されている座席装置をバックシェル側から見た斜視図である。
【図３】バックシェルに設けられた排出孔が、背凭れとバックシェルとの間隙の側から見えるように、背凭れを取り除いた状態で座席装置を示した図である。
【図４】背凭れとバックシェルとの間隙へと進入した進入物を排出孔から排出させるための構造を示す図である。
【発明を実施するための形態】
【００１６】
以下、本発明の一実施形態にかかる座席装置について説明する。尚、以下の説明で用いられる上下左右前後は、座席装置に着座する着座者から見た上下左右前後である。
【００１７】
図１は、本発明の一実施形態にかかる座席装置を、着座者が座る前方側から見た斜視図である。
【００１８】
本実施形態の座席装置１は、鉄道車両等の乗物の客室内に装備される旅客用シートであり、２席が、その幅方向Ｄ１１に隣接配置される。座席装置１は、座部１１０と、背凭れ１２０と、バックシェル１３０と、レッグレスト１４０と、台座１５０と、を備え、着座者の操作を受けて、以下に説明するリクライニング状態へと移行自在な装置となっている。
【００１９】
リクライニング状態は、基本的には背凭れ１２０が、矢印Ｄ１２が示すように後方へと倒れた状態である。尚、図１には、２席の座席装置１が、共に背凭れ１２０が直立したアップライト状態で示されている。
【００２０】
アップライト状態からリクライニング状態への移行が可能なように、背凭れ１２０は、座部１１０の後端側に回動可能にヒンジ連結されている。更に、本実施形態では、背凭れ１２０の倒れ込みと同時に、座部１１０は、図１において矢印Ｄ１３が示すように後端側が沈んで前端側が持ち上がりつつ前方へと迫出す。このような動きにより、リクライニング状態では、着座者は、腰部が沈み込んだ状態で背凭れ１２０に背を預けることとなり、安定感が増した状態で着座することができる。また、リクライニング状態における背凭れ１２０の倒れ角は、所定の角度範囲内で着座者が任意に設定可能となっている。座部１１０及び背凭れ１２０は、このようなリクライニング状態への移行が可能なように、不図示のリンク機構を介して台座１５０に支持されている。
【００２１】
バックシェル１３０は、前後方向Ｄ１４について、背凭れ１２０の更に後方側に配置されている。バックシェル１３０は、上記の台座１５０に、前後方向Ｄ１４に不動状態で固定されている。図１に示されている非リクライニング状態では、リクライニング状態への移行における背凭れ１２０の動きを妨げないのに十分な間隙Ｓ１１が、背凭れ１２０とバックシェル１３０との間には空いている。リクライニング状態への移行時には、バックシェル１３０が不動のまま、背凭れ１２０が矢印Ｄ１２が示すように後方へと倒れる。本実施形態では、背凭れ１２０の倒れ角は、図１に示されているアップライト状態における直立位置から、背凭れ１２０がバックシェル１３０に軽く触れる位置までの角度範囲内で設定可能となっている。
【００２２】
図２は、図１に示されている座席装置をバックシェル側から見た斜視図である。
【００２３】
台座１５０に不動立設されたバックシェル１３０を設けることで、後方の座席装置の着座者には、矢印Ｄ１２が示す背凭れ１２０の動きが余り見えなくなり、圧迫感が抑えられることとなる。
【００２４】
また、背凭れ１２０の移動に対して不動のバックシェル１３０には、後方の座席装置の着座者が使用する背面テーブル１３１や小物掛け１３２やドリンクホルダ１３３等が取り付けられている。バックシェル１３０が不動なので、背面テーブル１３１に置いた物や小物掛け１３２に引っ掛けた袋やドリンクホルダ１３３に保持させたドリンクボトル等が、背凭れ１２０の移動の影響を受けることがない。このため、後方の着座者は、これらの背面テーブル１３１や小物掛け１３２やドリンクホルダ１３３を快適に利用することができる。
【００２５】
レッグレスト１４０は、図１に示されている垂下位置と、上方へと跳ね上がった跳ね上げ位置と、の間で回動可能に座部１１０の前端側にヒンジ連結されている。着座者は、例えばリクライニング状態において、所定の操作を行ってレッグレスト１４０を跳ね上げ位置へと移動させること等が可能となっている。
【００２６】
ここで、本実施形態では、バックシェル１３０における背面テーブル１３１の下方に、背凭れ１２０とバックシェル１３０との間隙Ｓ１１へのゴミや落し物等の種々の進入物を当該間隙Ｓ１１から排出するための排出孔１３４が設けられている。
【００２７】
図３は、バックシェルに設けられた排出孔が、背凭れとバックシェルとの間隙の側から見えるように、背凭れを取り除いた状態で座席装置を示した図である。
【００２８】
この図３に示されているように、バックシェル１３０の内側は、複雑な凹凸形状を有しており、また、背凭れ１２０とバックシェル１３０との間隙Ｓ１１は下方に向かうにつれて狭小となっている。仮に、このような狭小な部分に上記のような進入物が入り込んでしまったとすると、そのような進入物の除去は困難なものとなってしまう。そこで、本実施形態では、このような進入物を下方へは向かわせずに、排出孔１３４から排出させるべく、以下に説明する構造が設けられている。
【００２９】
図４は、背凭れとバックシェルとの間隙へと進入した進入物を排出孔から排出させるための構造を示す図である。図４には、このような構造が、座席装置１の、簡略化された縦断面図によって模式的に示されている。尚、この図４には、座席装置１について、アップライト状態とリクライニング状態との２つの状態が示されている。アップライト状態では、背凭れ１２０が直立して座部１１０が後方に下がり、レッグレスト１４０が垂下している。また、図４でのリクライニング状態では、背凭れ１２０が矢印Ｄ１２方向に倒れて座部１１０が後端を沈めつつ前方に迫り出し、レッグレスト１４０が跳ね上がっている。そして、アップライト状態では背凭れ１２０とバックシェル１３０との間に間隙Ｓ１１が開き、この間隙Ｓ１１が上方に向かって開口した状態となる。他方、背凭れ１２０が最も倒されたリクライニング状態では、上記の間隙Ｓ１１が狭まるとともに、上方では、バックシェル１３０の上端部が背凭れ１２０に接して開口が閉じた状態となる。
【００３０】
ここで、本実施形態では、上記の間隙Ｓ１１に、背凭れ１２０からバックシェル１３０の排出孔１３４まで下降スロープを形成しつつ延在し、進入物を排出孔１３４まで案内する案内シート１６０が設けられている。本実施形態では、この案内シート１６０は柔軟な布製で、リクライニング状態への移行に伴う背凭れ１２０の動きに応じて変形可能となっている。
【００３１】
また、案内シート１６０は、排出孔１３４の側の端部１６１が、バックシェル１３０に対して着脱自在に接合される。具体的には、この端部１６１は、バックシェル１３０に対して例えばベルクロ（登録商標）テープ等の面ファスナー１７０を介して接合される。本実施形態では、排出孔１３４が、図２や図３に示されているように座席装置１の幅方向Ｄ１４に延在する長孔形状となっている。そして、その下縁が、上記の間隙Ｓ１１の内側へと棚状に張り出している。面ファスナー１７０のバックシェル１３０側が、この棚状に張り出した部分に貼付されており、面ファスナー１７０の案内シート１６０側が、この張り出した部分と重なる位置に貼付されている。面ファスナー１７０のこれら２つの部分が重ね合わされることで案内シート１６０の端部１６１がバックシェル１３０に接合され、引き剥がされることで案内シート１６０の端部１６１がバックシェル１３０から取り外される。また、本実施形態では、案内シート１６０における背凭れ１２０の側は、当該背凭れ１２０を覆う外被布１２１と一体に成型されている。
【００３２】
尚、ここでは特定しないが、案内シート１６０における背凭れ１２０の側が外被布１２１と一体に成型されているとは、次のような場合の何れであってもよい。即ち、外被布１２１の延長布として案内シート１６０が成形されていることや、別体に成形された案内シート１６０の端部が外被布１２１に縫い付けられていること等であってもよい。
【００３３】
以上に説明した本実施形態の座席装置１によれば、背凭れ１２０とバックシェル１３０との間隙Ｓ１１への進入物は、案内シート１６０によって形成された下降スロープに沿って排出孔１３４までスムーズに案内されて、この排出孔１３４から排出される。つまり、本実施形態の座席装置１によれば、背凭れ１２０とバックシェル１３０との間隙Ｓ１１への進入物を容易に除去することができる。
【００３４】
また、本実施形態の座席装置１によれば、案内シート１６０における排出孔１３４の側の端部１６１をバックシェル１３０から容易に取り外すことができる。背凭れ側については、背凭れ１２０を覆う外被布１２１と一体に成型されているので、その外被布１２１と一緒に案内シート１６０を取り去ることができる。このようにして取り去った案内シート１６０は、洗濯に供することができ、また、洗濯後の案内シート１６０や新品の案内シート１６０を容易に取り付けることもできる。
【００３５】
また、本実施形態の座席装置１によれば、面ファスナー１７０を介した接合は着脱が非常に容易であることから、案内シート１６０の取付けや取外しについての作業性を向上することができる。
【００３６】
また、本実施形態の座席装置１では、上記のように、案内シート１６０における背凭れ１２０側が、当該背凭れ１２０の外被布１２１と一体に成型されている。従って、このような外被布１２１を背凭れ１２０から取り外す術を心得たメンテナンス作業者等以外には簡単に取り外すことができないようになっている。これにより、排出孔１３４の側の端部１６１の着脱についてメンテナンス作業者への便を図りつつも、悪意ある他者が、案内シート１６０を勝手に持ち去るといった事態を防ぐことができる。
【００３７】
尚、以上に説明した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明の座席装置の構成を具備する限り、勿論、本発明の範疇に含まれるものである。
【００３８】
例えば、上述した実施形態では、本発明にいう座席装置の一例として、２席が、その幅方向Ｄ１１に隣接配置される座席装置１が例示されている。しかしながら、本発明にいう座席装置はこれに限るものではなく、その配列数は任意に設定し得る。
【００３９】
また、上述した実施形態では、本発明にいう座席装置の一例として、リクライニング状態への移行が、背凭れ１２０が倒れるだけでなく、座部１１０が後端を沈めつつ前方に迫り出すように行われる座席装置１が例示されている。しかしながら、本発明にいう座席装置は、これに限るものではなく、例えば座部は動かずに背凭れが倒れるだけのもの等であってもよい。また、背凭れの構造についても、リクライニング状態への移行が可能であれば、特に座部と連結された構造に限るものではなく、座部とは非連結で他のフレーム等に連結されたものであってもよい。
【００４０】
また、上述した実施形態では、本発明にいう案内シートの一例として、布製の案内シート１６０が例示されている。しかしながら、本発明にいう案内シートは、これに限るものではなく、例えば、柔軟な樹脂シートや、樹脂製等の細い帯板を互いに平行に複数本つづり合わせてシート状に形成したもの等であってもよい。
【００４１】
また、上述した実施形態では、バックシェルに対して着脱自在に接合される案内シートの一例として、バックシェル１３０に対して面ファスナー１７０を介して接合される案内シート１６０が例示されている。しなしながら、本発明にいう案内シートは、これに限るものではなく、例えば、バックシェルに対してボタンやフックあるいはジッパー等で接合されるもの等であってもよい。ただし、着脱自在な接合構造として着脱が非常に容易な面ファスナーを採用することで案内シートの取付けや取外しについての作業性を向上することができることは上述したとおりである。
【００４２】
また、上述した実施形態では、本発明にいう案内シートの一例として、背凭れ１２０の側が背凭れ１２０の外被布１２１と一体に成型された案内シート１６０が例示されている。しかしながら、本発明にいう案内シートは、これに限るものではなく、例えば、背凭れの側も背凭れに対して着脱自在に接合されたもの等であってもよい。ただし、背凭れの側が外被布と一体に成型されることで、悪意ある他者が、案内シートを勝手に持ち去るといった事態を防ぐことができる点は上述したとおりである。
【００４３】
また、上述した実施形態では、本発明にいう案内シートの一例として、バックシェル１３０に対して着脱自在に接合される案内シート１６０が例示されている。しかしながら、本発明にいう案内シートは、これに限るものではなく、例えば、バックシェルに対して接着等により取外し不可の状態で接合されるもの等であってもよい。ただし、バックシェルに対して着脱自在に接合される構造とすることで、案内シートの洗濯や新品との交換等を容易に行なうことができる点は上述したとおりである。
【符号の説明】
【００４４】
１    座席装置
１１０    座部
１２０    背凭れ
１２１    外被布
１３０    バックシェル
１３１    背面テーブル
１３２    小物掛け
１３３    ドリンクホルダ
１３４    排出孔
１４０    レッグレスト
１５０    台座
１６０    案内シート
１６１    端部
１７０    面ファスナー
Ｄ１１    幅方向
Ｄ１２，Ｄ１３    矢印
Ｄ１４    前後方向
Ｓ１１    間隙
【図１】
2018130155.tif 000003
【図２】
2018130155.tif 000004
【図３】
2018130155.tif 000005
【図４】
2018130155.tif 000006